(57)【要約】【課題】発泡性および保存安定性に優れた、除菌、洗浄、消臭、漂白等の効果を発揮する除菌洗浄剤を提供することを目的とする。【解決手段】過硫酸塩、ヨウ化物および発泡剤を含有する除菌洗浄剤とする。また、過硫酸塩および発泡剤を含有する第一層と、ヨウ化物および発泡剤を含有する第二層を有する層状錠剤とすることにより、更に保存安定性を高めることができる。【選択図】      なし【特許請求の範囲】
【請求項１】
過硫酸塩、ヨウ化物および発泡剤を含有する除菌洗浄剤。
【請求項２】
過硫酸塩および発泡剤を含有する第一層と、ヨウ化物および発泡剤を含有する第二層を有する層状錠剤としたことを特徴とする除菌洗浄剤。
【請求項３】
過硫酸塩がモノ過硫酸水素カリウム複塩である請求項１または請求項２に記載の除菌洗浄剤。
【請求項４】
発泡剤が炭酸塩および有機酸である請求項１〜請求項３の何れかに記載の除菌洗浄剤。
【請求項５】
ヨウ化物がヨウ化カリウム、ヨウ化ナトリウムまたはその混合物である請求項１〜請求項４の何れかに記載の除菌洗浄剤。
【発明の詳細な説明】
【０００１】
【発明の属する技術分野】
本発明は、人体に対して安全で且つ除菌、洗浄、消臭、漂白などの効果を発揮しうる除菌洗浄剤に関するもので、台所、浴室、洗面所、トイレ等の排水口、排水パイプ、ストレーナー等に好適に使用することができる。
【０００２】
【従来の技術】
台所、浴室、洗面所等の排水口、排水パイプ、ストレーナー等は、使用するに従い雑菌が繁殖してスライム状物で覆われたり、水垢による白化や黒ずみなどの汚れが生じる。このような汚れは、界面活性剤を主成分とする洗剤に浸漬したのみでは容易に除去することができず、たわしやブラシ等で擦り取る必要がある。
このような汚れを簡便に洗浄除去する方法として、炭酸塩と有機酸からなる発泡剤を水に接触させることにより発生させた二酸化炭素ガスの泡を、汚れに接触摩擦させる方法が提案されている。
【０００３】
更に上記のような発泡剤に塩素化イソシアヌル酸、ハロゲン化ヒダントイン、モノ過硫酸水素カリウム等の酸化力を有する除菌剤を配合し、洗浄力の強化、除菌、消臭、漂白効果等を付与することも行われている。
しかしながら、塩素化イソシアヌル酸、ハロゲン化ヒダントイン等の塩素系化合物は刺激臭のあるクロラミン系ガス、発ガン性が疑われる塩化メタン等の副生が取り沙汰されており、非塩素系の除菌剤を使用したものが好まれる傾向にある。
【０００４】
特許文献１には、浴室用除菌剤として、非塩素系薬剤である臭素塩を過硫酸水素カリウムで酸化せしめて活性臭素を発生させる除菌剤が提案されているが、臭素系除菌剤もまた塩化メタンと同類の臭化メタン等の副生が懸念され、上述の問題を払拭できるものではない。
【０００５】
特許文献２には、過ホウ酸、過炭酸、ペルオキシ硫酸等の無機過酸及びこれらの塩類の水溶液と、ヨウ化ナトリウム、ヨウ化カリウム等のアルカリ金属のヨウ化物の水溶液を混合して次亜ヨウ素酸を発生させて、冷却水や医療用機械器具の殺菌方法が提案されている。
しかしながら、この方法によれば、使用時に次亜ヨウ素酸を含む水溶液を調製しなければならないという煩雑さがあった。また、殺菌効果は期待できるものの、配管等に付着した汚れに対しては、洗浄効果を発揮しないものであった。
【０００６】
ところで、人体に対して安全なハロゲン系除菌剤としてヨウ素が挙げられ、ヨードチンキ、ポビドンヨードが人体への消毒、感染予防に用いられているが、家庭用除菌剤としては殆ど使用されていない。この理由として、ヨウ素それ自体あるいはヨウ素を担持した薬剤から、保管時に遊離ヨウ素が揮散して周囲のものが着色される点、また遊離ヨウ素の揮散により、薬剤中のヨウ素が減少してしまう点が挙げられる。
一方、ヨウ素をシクロデキストリンで包接したものも提案されているが（特許文献３、特許文献４等）、この問題は解決されておらず、また水に対する溶解度が低く速効性に乏しい。
【０００７】
【特許文献１】
欧州特許第０２６５７０９号公開公報
【特許文献２】
特開２００２−８６１５５号公報
【特許文献３】
特開平１０−４５６０９号公報
【特許文献４】
特開平１０−２４５４０３号公報
【０００８】
【発明が解決しようとする課題】
本発明は、発泡性および保存安定性に優れた、除菌、洗浄、消臭、漂白等の効果を発揮する除菌洗浄剤を提供することを目的とする。
【０００９】
【課題を解決するための手段】
本発明者らは、上記の目的を達成しようと鋭意研究を重ねた結果、過硫酸塩、ヨウ化物および発泡剤を含有する除菌洗浄剤が所期の目的を達成し得ることを見出し、本発明を完成させるに至ったものである。
また、過硫酸塩および発泡剤を含有する第一層と、ヨウ化物および発泡剤を含有する第二層を有する層状錠剤としたことにより、更に保存安定性を高めた除菌洗浄剤とすることができる。
【００１０】
【発明の実施の形態】
本発明に使用する過硫酸塩としては、過硫酸ナトリウム、過硫酸カリウム、過硫酸アンモニウム、過硫酸水素ナトリウム、過硫酸水素カリウム等のアルカリ金属塩を例示することができるが、オキソンとして知られているモノ過硫酸水素カリウム複塩（化学式：２ＫＨＳＯ５・ＫＨＳＯ４・Ｋ２ＳＯ４）が工業用原料として入手が容易であり、好適に使用することができる。
【００１１】
本発明に使用するヨウ化物は、水に可溶でヨウ素イオンを発生するものであれば良く、例えばヨウ化ナトリウム、ヨウ化カリウム、ヨウ化カルシウム、ヨウ化マグネシウム等のヨウ素塩が使用可能であり、特にヨウ化カリウムが原料コスト、取り扱い性の点で好適である。
【００１２】
本発明の除菌洗浄剤における過硫酸塩の配合割合は、５〜３０重量％の範囲が好ましい。また、過硫酸塩とヨウ化物の配合比（重量比）は、０．２：１〜２：１であることが好ましい。
本発明の除菌洗浄剤は、水に溶解させると、発生したヨウ素により水が淡橙色〜橙色に着色されるので、除菌、消臭、漂白効果等を発揮する有効成分の生成を確認できるという特徴も備えており、過硫酸塩が５重量％未満の場合やヨウ化物に対する配合比率（重量比）が０．２未満の場合には、ヨウ素の発生量が十分ではなく除菌、消臭、漂白効果等を発揮せず、また水の着色も少ない。
一方、ヨウ化物に対する過硫酸塩の配合比率（重量比）が２よりも大きい場合には、発生したヨウ素が過ヨウ素酸等へ更に酸化され、水の着色が消失して目視による有効成分の存在が確認できなくなる。また、過硫酸塩の配合割合が３０重量％よりも多い場合には、後述する発泡剤の配合割合が減少し洗浄効果が低下する。
【００１３】
本発明に使用する発泡剤の成分としては、水に接触した場合に二酸化炭素を発生するものであれば特に限定されないが、炭酸塩と有機酸とを組み合わせて用いることが好ましい。
ここで、炭酸塩としては、炭酸ナトリウム、重炭酸ナトリウム、炭酸カリウム、重炭酸カリウム、炭酸アンモニウム、セスキ炭酸ナトリウム、過炭酸ナトリウム等が挙げられ、このうち炭酸ナトリウム、重炭酸ナトリウムが原料コストの点において好ましい。
有機酸としては、クエン酸、酒石酸、アスコルビン酸、リンゴ酸、フマル酸、コハク酸、マロン酸、アジピン酸、シュウ酸、乳酸等が挙げられる。
これらの炭酸塩および有機酸はそれぞれ１種又は２種以上の混合物として用いることができる。
【００１４】
炭酸塩と有機酸を併せた発泡剤の配合割合は、４０重量％以上が好ましい。４０重量％未満の場合には、発泡量が減少し、洗浄効果が低下する。
【００１５】
前記の過硫酸塩、ヨウ化物および発泡剤は、常法に従って混合して成形物とすることができる。
これらの成分以外に、打錠のための結合剤、滑択剤、意匠性向上のための着色剤、洗浄効果改善のための界面活性剤等の添加剤を配合することができる。
【００１６】
本発明の除菌洗浄剤の形態は、粉末状または顆粒状、ブリケット状、錠剤等の成形物の何れでも構わないが、使用時の計量が簡便で取り扱いが容易な錠剤が好ましい。この場合、過硫酸塩配合組成部とヨウ化物配合組成部を分離した二層構造を有するものとすることにより、配合成分同士の反応による変質や遊離ヨウ素の発生による包装袋あるいは周囲への着色防止を確実なものとすることができる。
また、過硫酸塩、ヨウ化物および発泡剤以外の添加剤を配合する場合には、薬剤同士の相互作用を抑えるために、三層以上の層状構造を有する錠剤とすることも可能である。
【００１７】
【作用】
過硫酸塩とヨウ化物を水に接触させた場合には、過硫酸塩がヨウ素陰イオンを酸化して、ヨウ素、次亜ヨウ素酸、ヨウ素酸、過ヨウ素酸等のヨウ素化合物を生成させる。しかしながら、過硫酸塩とヨウ化物を配合して、粉末または顆粒、錠剤等の成形物としたものは、ポリエチレン袋等に密閉して吸湿し難い状態であれば、酸化反応による遊離ヨウ素の生成は殆ど起こらず、ヨウ素が揮散することによる包装袋や周囲のものへの着色、また除菌洗浄剤中の有効ヨウ素量の減少を抑えることができる。
また、発泡剤成分である炭酸塩と有機酸を水に接触させると、二酸化炭素ガスを発生させながら溶解することが知られているが、過硫酸塩とヨウ化物を共存させた錠剤の場合には、該錠剤の溶解速度が更に速まることが判明した。これにより発泡作用が増大し洗浄効果を高めることができるが、過硫酸塩とヨウ化物との反応が成形物の崩壊を促進しているためと推測される。
【００１８】
【実施例】
以下、実施例および比較例によって本発明を詳細に説明するが、本発明はこれらの実施例に限定されるものではない。
なお、実施例および比較例において使用した原料ならびに評価試験方法は、次のとおりである。
【００１９】
［原料］
・モノ過硫酸水素カリウム複塩：デュポン社製「オキソン」
・ヨウ化カリウム：和光純薬工業社製試薬
・ヨウ素シクロデキストリン包接体：日宝化学社製「ＢＣＤＩ−２０」
・ポピドンヨード：日宝化学社製「ＰＶＰＩ」
・コハク酸：武田薬品工業社製
・クエン酸：扶桑化学工業社製
・フマル酸：川崎化成工業社製
・炭酸ナトリウム：トクヤマ社製
・重炭酸ナトリウム：トクヤマ社製
・ポリオキシエチレンアルキルエーテル：旭電化工業社製界面活性剤「アデカトールＬＡ５０」
・ラウリル硫酸ナトリウム：新日本理化社製界面活性剤「シノリン９０ＴＫ−Ｎ」
【００２０】
［溶解試験］
２リットルのビーカーに水温を２０℃に調節した蒸留水１５００ｍｌを注ぎ、次いで錠剤を投入する。錠剤を投入して、溶け残りの小片が浮上するまでの時間を計測し溶解時間とした。
錠剤の溶解時間が短い程、単位時間当たりの二酸化炭素ガスの発生量が多いので、錠剤の発泡性が優れているものと判定した。
また、ヨウ素の生成による溶解水の着色の程度を目視にて確認し、併せて溶解水中の有効ヨウ素濃度を測定した。
【００２１】
［有効ヨウ素濃度の測定］
溶解試験において、錠剤を溶解させた水のうち、５０ｍｌをコニカルビーカーに計り取り、酢酸水溶液（１＋１）５ｍｌを加えて十分に攪拌する。これを０．０１規定チオ硫酸ナトリウム溶液で滴定する。終点付近でビーカー内の液の色が淡黄色になった時、でんぷん溶液約１ｍｌを加えて滴定を続け、無色になるところを終点とする。
滴定量を０．０１ｍｌまで読み取り、次式により溶解水中の有効ヨウ素濃度を算出し、小数点以下２桁目を四捨五入する。
有効ヨウ素濃度（ｐｐｍ）＝（Ａ×ｆ×７７９０）／５０
Ａ：０．０１規定チオ硫酸ナトリウム溶液滴定量（ｍｌ）
ｆ：０．０１規定チオ硫酸ナトリウム溶液ファクター
【００２２】
［保存安定性試験］
錠剤をポリエチレン製袋に入れ密封して、４０℃／７５％ＲＨに制御した恒温恒湿槽内に静置し、遊離ヨウ素によるポリエチレン袋の着色が生じるまでの日数を測定した。
着色までに要した日数が長い程、保存安定性に優れているものと判定した。
【００２３】
［実施例１］
モノ過硫酸水素カリウム複塩を５重量％、ヨウ化カリウムを５重量％、炭酸ナトリウムを１５重量％、重炭酸ナトリウムを３５重量％、コハク酸を４０重量％の割合で均一に混合し、この混合物５．６ｇを直径２０ｍｍの臼杵を用いて面圧１．２ｔ／ｃｍ２で打錠成形し錠剤を調製した。
得られた錠剤について、溶解試験、保存安定性試験を行った。これらの試験結果は表１に示したとおりであった。
【００２４】
［実施例２］
▲１▼組成物Ａの調製
モノ過硫酸水素カリウム複塩を５重量％、炭酸ナトリウムを８重量％、重炭酸ナトリウムを１７重量％、クエン酸を２０重量％の割合で均一に混合し組成物Ａを調製した。
▲２▼組成物Ｂの調製
ヨウ化カリウムを５重量％、炭酸ナトリウムを８重量％、重炭酸ナトリウムを１７重量％、クエン酸を２０重量％の割合で均一に混合し組成物Ｂを調製した。
▲３▼錠剤の調製
直径２０ｍｍの臼に組成物Ａを２．８ｇ、次いで組成物Ｂを２．８ｇ充填し、面圧１．２ｔ／ｃｍ２で打錠成形し、モノ過硫酸水素カリウム複塩および発泡剤を含有する第一層と、ヨウ化カリウムおよび発泡剤を含有する第二層を有する錠剤を調製した。
得られた錠剤について、実施例１と同様にして評価試験を行ったところ、これらの試験結果は表１に示したとおりであった。
【００２５】
［実施例３〜６］
表１に記載した配合割合（重量％）によって、実施例２と同様の方法で錠剤を調製し、評価試験を行った。得られた試験結果は、表１に示したとおりであった。
【００２６】
［比較例１］
シクロデキストリン包接ヨウ素を１０重量％、炭酸ナトリウムを１５重量％、重炭酸ナトリウムを３５重量％、コハク酸を４０重量％の割合で均一に混合し、この混合物５．６ｇを直径２０ｍｍの臼杵を用いて面圧１．２ｔ／ｃｍ２で打錠成形し、錠剤を調製した。
得られた錠剤について、実施例１と同様にして評価試験を行ったところ、これらの試験結果は表１に示したとおりであった。
【００２７】
［比較例２］
ポビドンヨードを１０重量％、炭酸ナトリウムを１５重量％、重炭酸ナトリウムを３５重量％、コハク酸を４０重量％の割合で均一に混合し、この混合物５．６ｇを直径２０ｍｍの臼杵を用いて面圧１．２ｔ／ｃｍ２で打錠成形し、錠剤を調製した。
得られた錠剤について、実施例１と同様にして評価試験を行ったところ、これらの試験結果は表１に示したとおりであった。
【００２８】
【表１】
2004346162.tif 000002
【００２９】
表１の試験結果より、実施例において調製した除菌洗浄剤は、水に溶解させた場合の溶解時間が約２分と短いので、発泡性に優れているものと認められる。また該除菌洗浄剤を水に溶解させた場合には、水が淡橙色〜橙色に着色するので、除菌、消臭、漂白等の効果を発揮する有効成分であるヨウ素の発生が、目視により確認することができ、且つ溶解水中の有効ヨウ素濃度も十分に高いものと認められる。
本発明の除菌洗浄剤を保存安定性の加速度試験に付したところ、包装袋の着色に要する日数が３０日以上であり、該除菌洗浄剤は優れた保存安定性を有するものと認められ、層状錠剤とした場合の保存安定性の向上も顕著である。
【００３０】
【発明の効果】
本発明の除菌洗浄剤は、発泡性に優れているので、洗浄力を高めることができる。また、保存安定性に優れているので、遊離ヨウ素による包装袋あるいは周囲のものへの着色を防止することができる。
このような特徴と相俟って、使用時に発生するヨウ素、次亜ヨウ素酸、ヨウ素酸、過ヨウ素酸等のヨウ素化合物が酸化力を有するので、除菌、消臭および漂白機能を発揮することができる。更に、除菌洗浄剤に配合したヨウ化物や使用時に発生する活性なヨウ素化合物は人体に安全であると共に、該ヨウ素化合物が排水中に含まれる種々の化学物質と反応したとしても、有害な有機塩素化合物や有機臭素化合物を発生することがないので、環境を汚染する虞がない。
本発明の除菌洗浄剤は、これらの特徴を兼ね備えたものであるので、台所、浴室、洗面所等の排水口、排水パイプ、ストレーナー等に好適に使用することができる。